(57)【要約】【課題】供給元における氷の大きさによらず、口当たりの良いコールド飲料を製造することが可能なカップ式飲料自動販売機を提供すること。【解決手段】氷を製造、貯蔵する製氷機６０と、製氷機６０からの氷を粉砕する氷加工手段８１と、氷加工手段８１に湯タンク４０内からの湯を供給する湯供給手段１３０とを備え、フローズン飲料の販売指令が出力された場合には、氷加工手段８１により粉砕した氷を用いて、フローズン飲料を製造する一方、予め設定した洗浄時間帯においては、湯供給手段１３０による湯の供給によって氷加工手段８１の内部を洗浄するようにしている。【選択図】      図１
2004265370.tif 000002
【特許請求の範囲】
【請求項１】
供給された氷を粉砕するための砕氷手段と、前記砕氷手段に洗浄液を供給するための洗浄液供給手段とを備え、
前記砕氷手段により粉砕した氷をカップに供給して飲料を製造する一方、前記洗浄液供給手段による洗浄液の供給によって前記砕氷手段を洗浄することを特徴とするカップ式飲料自動販売機。
【請求項２】
前記砕氷手段は、氷を粉砕するための動作を行う可動部を備え、洗浄の際に前記可動部を動作させることを特徴とする請求項１に記載のカップ式飲料自動販売機。
【請求項３】
前記洗浄液供給手段は、洗浄液を圧送するための圧送手段を有することを特徴とする請求項１または２に記載のカップ式飲料自動販売機。
【請求項４】
飲料を製造するための原液を吐出する原液ノズルと、前記原液ノズルに洗浄液を供給するためのノズル洗浄液供給手段とを備え、
前記ノズル洗浄液供給手段による洗浄液の供給によって前記原液ノズルを洗浄することを特徴とする請求項１〜３のいずれか一つに記載のカップ式飲料自動販売機。
【請求項５】
前記洗浄液供給手段および前記ノズル洗浄液供給手段は、共通となる流路から分岐した洗浄液を供給することを特徴とする請求項４に記載のカップ式飲料自動販売機。
【請求項６】
供給された氷を粉砕するための砕氷手段と、前記砕氷手段により粉砕した氷をカップに供給するための供給経路を開閉する遮断手段とを備え、
前記遮断手段によって前記供給経路を開くことにより、前記砕氷手段から粉砕した氷をカップに供給して飲料を製造し、かつ、カップへの氷の供給が終了した後に、前記遮断手段によって前記供給経路を閉じることを特徴とするカップ式飲料自動販売機。
【請求項７】
前記遮断手段は、前記供給経路を開いた場合に、前記砕氷手段からの氷をカップに案内するための案内通路を構成することを特徴とする請求項６に記載のカップ式飲料自動販売機。
【請求項８】
供給された氷を粉砕するための砕氷手段と、前記砕氷手段に送風するための送風手段とを備え、
前記砕氷手段により粉砕した氷をカップに供給して飲料を製造する一方、前記送風手段による送風によって前記砕氷手段を乾燥させることを特徴とするカップ式飲料自動販売機。
【発明の詳細な説明】
【０００１】
【発明の属する技術分野】
本発明は、カップ式飲料自動販売機に関するものである。
【０００２】
【従来の技術】
従来、コールド飲料を製造可能なカップ式飲料自動販売機としては、製氷機により製造した氷をカップに供給し、氷入りのコールド飲料を製造するようにしたものが一般的である（例えば、特許文献１参照）。
【０００３】
このカップ式飲料自動販売機は、図１０に示すように、製氷機１、湯タンク２、シロップタンク３、キャニスタ４、コーヒー飲料調理装置５および攪拌装置６を備えている。製氷機１は、給水装置（図示せず）から供給された飲料水を用いて、予め設定された大きさの氷を製造し、貯蔵するものである。この製氷機１は、貯蔵している氷を排出するための氷排出口１ａを開閉可能に備えている。湯タンク２は、ヒータ（図示せず）を内蔵し、給水装置から供給された飲料水をヒータにより加熱して湯とし、貯留するものである。シロップタンク３は、シロップを貯蔵するものである。キャニスタ４は、砂糖、クリームおよびインスタントコーヒー等の粉末原料を貯蔵するものである。コーヒー飲料調理装置５は、挽いたコーヒー豆と湯タンク２内からの湯とを用いてコーヒー飲料を抽出するものである。攪拌装置６は、カップＣに対して進退可能、かつ軸心回りに回転可能に構成された攪拌羽根６ａを有する。
【０００４】
このカップ式飲料自動販売機では、例えば、コールド飲料の販売指令が出力されると、カップ供給装置（図示せず）により供給されたカップＣに、シロップタンク３内からのシロップと給水装置からの飲料水とが供給される。カップＣにシロップおよび飲料水が供給されると、攪拌装置６の攪拌羽根６ａをカップＣ内で回転させて、シロップと飲料水とを混合攪拌して混合液にする。その後、製氷機１からの氷をそのままカップＣに供給し、攪拌羽根６ａを再び回転させると、カップＣ内で混合液と氷とが混合攪拌されて氷入りのコールド飲料が出来上がり、販売口（図示せず）から購入者に受け渡される。
【０００５】
なお、図３に示したカップ式飲料自動販売機では、上述した混合液の代わりに、キャニスタ４内からの粉末原料と湯タンク２内からの湯との混合液、あるいはコーヒー飲料調理装置５により抽出したコーヒー飲料を用い、上述したものと同様にして、氷入りのコールド飲料を製造することもできる。
【０００６】
【特許文献１】
特開平７−６２５３号公報（第３項、第１図）
【０００７】
【発明が解決しようとする課題】
ところで、最近では、飲料に対する嗜好の多様化により、口当たりの良いコールド飲料、（例えば、いわゆるフローズン飲料）が好まれるようになってきている。
【０００８】
この口当たりの良いコールド飲料を製造するためには、細かな氷（例えば、略米粒の寸法の氷）と原液（例えば、上述した混合液）とを混合することが要求される。
【０００９】
しかしながら、上述したような従来のカップ式飲料自動販売機では、氷が溶け切るまでの時間を長くしてコールド飲料の清涼感を極力持続させるために、カップＣに大きめの氷（例えば、略１０ｍｍ角の氷）を供給するのが一般的であり、供給元となる製氷機１に貯蔵される氷も当然に大きめのものとなる。このため、製氷機１からの氷をそのままカップＣに供給したのでは、原液と混合される氷が所望のものよりも大きくなってしまい、この結果、口当たりの良いコールド飲料を製造することができない。
【００１０】
本発明は、上記実情に鑑みて、供給元における氷の大きさによらず、口当たりの良いコールド飲料を製造することが可能なカップ式飲料自動販売機を提供することを目的とする。
【００１１】
【課題を解決するための手段】
上記の目的を達成するために、本発明の請求項１に係るカップ式飲料自動販売機は、供給された氷を粉砕するための砕氷手段と、前記砕氷手段に洗浄液を供給するための洗浄液供給手段とを備え、前記砕氷手段により粉砕した氷をカップに供給して飲料を製造する一方、前記洗浄液供給手段による洗浄液の供給によって前記砕氷手段を洗浄することを特徴とする。
【００１２】
また、本発明の請求項２に係るカップ式飲料自動販売機は、上記請求項１において、前記砕氷手段は、氷を粉砕するための動作を行う可動部を備え、洗浄の際に前記可動部を動作させることを特徴とする。
【００１３】
また、本発明の請求項３に係るカップ式飲料自動販売機は、上記請求項１または２において、前記洗浄液供給手段は、洗浄液を圧送するための圧送手段を有することを特徴とする。
【００１４】
また、本発明の請求項４に係るカップ式飲料自動販売機は、上記請求項１〜３のいずれか一つにおいて、飲料を製造するための原液を吐出する原液ノズルと、前記原液ノズルに洗浄液を供給するためのノズル洗浄液供給手段とを備え、前記ノズル洗浄液供給手段による洗浄液の供給によって前記原液ノズルを洗浄することを特徴とする。
【００１５】
また、本発明の請求項５に係るカップ式飲料自動販売機は、上記請求項４において、前記洗浄液供給手段および前記ノズル洗浄液供給手段は、共通となる流路から分岐した洗浄液を供給することを特徴とする。
【００１６】
また、本発明の請求項６に係るカップ式飲料自動販売機は、供給された氷を粉砕するための砕氷手段と、前記砕氷手段により粉砕した氷をカップに供給するための供給経路を開閉する遮断手段とを備え、前記遮断手段によって前記供給経路を開くことにより、前記砕氷手段から粉砕した氷をカップに供給して飲料を製造し、かつ、カップへの氷の供給が終了した後に、前記遮断手段によって前記供給経路を閉じることを特徴とする。
【００１７】
また、本発明の請求項７に係るカップ式飲料自動販売機は、上記請求項６において、前記遮断手段は、前記供給経路を開いた場合に、前記砕氷手段からの氷をカップに案内するための案内通路を構成することを特徴とする。
【００１８】
また、本発明の請求項８に係るカップ式飲料自動販売機は、供給された氷を粉砕するための砕氷手段と、前記砕氷手段に送風するための送風手段とを備え、前記砕氷手段により粉砕した氷をカップに供給して飲料を製造する一方、前記送風手段による送風によって前記砕氷手段を乾燥させることを特徴とする。
【００１９】
【発明の実施の形態】
以下に添付図面を参照して、本発明に係るカップ式飲料自動販売機の好適な実施の形態を詳細に説明する。
【００２０】
（実施の形態１）
図１は、本実施の形態１であるカップ式飲料自動販売機の構成を説明するためのものである。図１に示したカップ式飲料自動販売機は、カップ搬送装置１０、水リザーバ２０、湯タンク４０、コーヒー飲料調理装置５０、製氷機６０、氷振り分け装置７０、氷加工供給装置８０、シロップタンク９０、キャニスタ１００、攪拌装置１１０および排水容器１２０を備える。
【００２１】
カップ搬送装置１０は、カップ供給装置（図示せず）により供給されたカップＣを搬送するもので、飲料を調理するための位置（調理位置）、および図示せぬ販売口に通じる位置（販売位置）にカップＣを搬送する。ここで、カップＣの搬送経路における調理位置（図１に例示するカップＣの位置）には、排水のための排水口１１が設けてある。
【００２２】
水リザーバ２０は、給水弁２１を介して上水道から供給された水を貯留するもので、送水配管２２と後述の製氷機６０に通じる製氷用水配管２３とに接続してある。
【００２３】
送水配管２２は、水リザーバ２０内の水を移送するためのもので、その途中に水ポンプ３０を有する一方、その先端に三方弁２４を介して水配管２５および湯タンク用水配管２６が分岐接続してある。
【００２４】
水ポンプ３０は、送水配管２２を通じて水リザーバ２０内からの水を水配管２５および湯タンク用水配管２６へ圧送するものである。
【００２５】
三方弁２４は、水配管２５および湯タンク用水配管２６に対して個々に開閉可能であり、通常時においてはそれぞれに対して閉状態に保持される。水配管２５は、水リザーバ２０内からの水を調理位置にあるカップＣに供給するためのもので、その先端に水ノズル２５ａを有する。水ノズル２５ａは、水配管２５を流れた水を吐出するもので、調理位置にあるカップＣに臨むように配設してある。湯タンク用水配管２６は、水リザーバ２０内からの水を湯タンク４０に供給するためのものである。
【００２６】
湯タンク４０は、湯タンク用水配管２６により供給された水を加熱して湯とし、貯留するためのもので、加熱源としてヒータ（図示せず）を内蔵している。この湯タンク４０内では、ヒータが適宜加熱動作して、湯の温度を例えば９３〜９７℃に保持している。この湯タンク４０は、湯配管４１およびコーヒー調理用湯配管４２に接続してある。
【００２７】
湯配管４１は、湯タンク４０内の湯を調理位置にあるカップＣに供給するためのものである。湯配管４１には、その途中に流路を開閉する湯弁４１ａが設けられる一方、その先端に湯ノズル４１ｂが設けてある。湯ノズル４１ｂは、湯配管４１を流れた湯を吐出するもので、調理位置にあるカップＣに臨むように配設してある。コーヒー調理用湯配管４２は、湯タンク４０内の湯をコーヒー飲料調理装置５０に供給するためのものであり、その途中に流路を開閉するための湯弁４２ａを有する。
【００２８】
コーヒー飲料調理装置５０は、挽いたコーヒー豆と、コーヒー調理用湯配管４２により供給された湯とを用いてコーヒー飲料を抽出するものである。このコーヒー飲料調理装置５０は、コーヒー配管５１に接続してある。コーヒー配管５１は、コーヒー飲料調理装置５０により抽出したコーヒー飲料を調理位置にあるカップＣに供給するためのもので、その先端にコーヒーノズル５１ａを有する。コーヒーノズル５１ａは、コーヒー配管５１を流れたコーヒー飲料を吐出するもので、調理位置にあるカップＣに臨むように配設してある。
【００２９】
製氷機６０は、上述した製氷用水配管２３を通じて水リザーバ２０内から供給された水を用いて、予め設定された大きさの氷、例えば略１０ｍｍ角の氷を製造し、貯蔵するものである。この製氷機６０は、開閉可能に構成された氷排出口６１を有しており、氷排出口６１を通じて氷振り分け装置７０に氷を供給可能である。
【００３０】
氷振り分け装置７０は、氷配管用姿勢（図１中破線で例示）と、氷加工供給装置用姿勢（図１中、実線で例示）とを有する氷振り分け機構７１を内蔵している。この氷振り分け装置７０は、氷振り分け機構７１が氷配管用姿勢の場合に、製氷機６０からの氷を氷配管７２に供給可能、かつ氷振り分け機構７１が氷加工供給装置用姿勢の場合に、製氷機６０からの氷を氷加工供給装置８０に供給可能である。すなわち、この氷振り分け装置７０は、製氷機６０からの氷を氷配管７２および氷加工供給装置８０に択一的に振り分けて供給可能である。氷配管７２は、氷振り分け装置７０からの氷を調理位置にあるカップＣに供給するためのものである。
【００３１】
氷加工供給装置８０は、氷振り分け装置７０により供給された氷を粉砕して、例えば、略米粒の寸法となるように小さくし、さらにこの粉砕した氷を調理位置にあるカップＣに供給するものである。この氷加工供給装置８０は、氷加工手段（砕氷手段）８１およびシュータ８２を備えて構成してある。氷加工手段８１は、その上面に氷投入口８１ａが設けられる一方、その内部に回転羽根（可動部）８１ｂおよび固定刃（図示せず）を備える。この氷加工手段８１は、氷投入口８１ａを通じて供給された氷を収容し、回転羽根８１ｂの動作により当該氷を回転運動させて、固定刃で削りながら粉砕するものである。この氷加工手段８１には、排水のための排水口８１ｃが設けてある。シュータ８２は、氷加工手段８１により粉砕された氷を調理位置にあるカップＣに供給するものである。
【００３２】
シロップタンク９０は、シロップを貯蔵するためのもので、シロップ配管９１に接続してある。シロップ配管９１は、シロップタンク９０内のシロップを調理位置にあるカップＣに供給するためのものである。このシロップ配管９１には、その途中に流路を開閉するシロップ弁９１ａが設けられる一方、その先端にシロップノズル９１ｂが設けてある。シロップノズル９１ｂは、シロップ配管９１を流れたシロップを吐出するもので、調理位置にあるカップＣに臨むように配設してある。
【００３３】
キャニスタ１００は、粉末原料、例えば砂糖、クリーム、インスタントコーヒーおよびココアを貯蔵するためのもので、調理位置にあるカップＣに粉末原料を供給可能に構成してある。
【００３４】
攪拌装置１１０は、調理位置にあるカップＣに対して進退可能、かつ軸心回りに回転可能に構成された攪拌羽根１１１を有する。この攪拌装置１１０は、攪拌羽根１１１を回転動作させる際には、攪拌羽根１１１を予め下動させてカップＣ内に配置する一方、通常時においては攪拌羽根１１１を上動させた位置に保持する。
【００３５】
排水容器１２０は、排水を貯留するためのもので、氷加工排水配管１２１および調理排水配管１２２に接続してある。氷加工排水配管１２１は、上述した氷加工手段８１の排水口８１ｃに接続してあり、氷加工手段８１内の水を排水容器１２０に送出する。調理排水配管１２２は、上述したカップＣの搬送系路上の排水口１１に接続してあり、搬送系路上の水を排水容器１２０に送出する。
【００３６】
上述したように構成した本実施の形態１であるカップ式飲料自動販売機において、口当たりの良いコールド飲料、（例えば、いわゆるフローズン飲料）を製造するための動作について以下に詳述する。
【００３７】
例えば、購入者により販売ボタン（図示せず）が押圧操作されて、フローズン飲料の販売指令が出力されると、カップ搬送装置１０は、カップ供給手段（図示せず）により供給されたカップＣを調理位置に搬送する。
【００３８】
カップ搬送装置１０がカップＣを調理位置に搬送すると、シロップ弁９１ａが一時的に開いて、シロップノズル９１ｂから所定量のシロップが吐出供給される。
【００３９】
この間に、製氷機６０の氷排出口６１が一時的に開いて、氷排出口６１を通じて所定量の氷が氷振り分け装置７０に供給される。このとき、氷振り分け装置７０は、氷振り分け機構７１を氷加工供給装置用姿勢に保持して、製氷機６０からの氷を氷加工手段８１に供給する。
【００４０】
氷振り分け装置７０により製氷機６０からの氷が氷加工手段８１に供給されると、氷加工供給装置８０は、氷加工手段８１の回転羽根８１ｂを動作させて、氷加工手段８１内で氷を粉砕し、シュータ８２を通じてカップＣに供給する。
【００４１】
氷加工手段８１により粉砕された氷がカップＣに供給されると、攪拌装置１１０の攪拌羽根１１１が降下してカップＣ内に進入し、カップＣ内で回転動作する。この結果、カップＣ内でシロップと細かな氷（例えば、略米粒の寸法の氷）とが混合攪拌されて、フローズン飲料が製造される。
【００４２】
こうしてフローズン飲料の製造が終了すると、攪拌羽根１１１が上昇してカップＣの上方域に位置した後に、カップ搬送装置１０によりカップＣが上述の販売位置に搬送されて、販売口（図示せず）から購入者に受け渡される。
【００４３】
以上説明したように、本実施の形態１であるカップ式飲料自動販売機によれば、製氷機６０からの氷を粉砕する氷加工手段８１を備え、氷加工手段８１により粉砕した氷をカップＣに供給して飲料を製造するようにしているので、氷の供給元となる製氷機６０における氷の大きさによらず、口当たりの良いコールド飲料を製造することができる。
【００４４】
また、本実施の形態１であるカップ式飲料自動販売機では、製氷機６０からの氷を氷加工供給装置８０および氷配管７２に択一的に供給可能な氷振り分け装置７０を備えているので、従来のものと同様に、大きめの氷（例えば、略１０ｍｍ角の氷）入りのコールド飲料を製造することもできる。すなわち、氷振り分け装置７０により製氷機６０からの氷を氷配管７２に振り分けて供給すれば、製氷機６０からの氷が氷配管７２を通じてそのままカップＣに供給されることになるので、大きめの氷入りのコールド飲料を製造することができる。
【００４５】
さらに、本実施の形態１であるカップ式飲料自動販売機によれば、氷振り分け装置７０および氷加工供給装置８０以外の構成として、従前と同様のものを適用可能であるので、従前の部品との兼用化を図ったり、従前のものを改造して対応する上で、極めて有利なものとなる。
【００４６】
なお、上述したカップ式飲料自動販売機において製造可能なコールド飲料は、シロップを用いたものに限定されない。具体的には、キャニスタ１００からの粉末原料と湯タンク４０からの湯との混合液を用いたもの、あるいはコーヒー飲料調理装置５０により抽出したコーヒー飲料を用いたものを製造することができる。
【００４７】
また、上述したカップ式飲料自動販売機では、氷加工供給装置８０として、氷を回転運動させて、当該氷を固定刃で削りながら粉砕するものを例示しているが、その他の方法によるものであっても良いのは勿論である。
【００４８】
一方、上述したカップ式飲料自動販売機では、氷加工手段８１の内部を通過した氷を用いて、飲料を製造するようにしているので、氷加工手段８１の内部を清潔に維持するための洗浄を行うことが好ましい。また、上述したシロップノズル９１ｂやコーヒーノズル５１ａ（以下、総称して「原液ノズル」という）においては、個々の先端部にシロップやコーヒー飲料が付着し易いので、清潔に維持するための洗浄を行うことが好ましい。
【００４９】
そこで、本実施の形態１であるカップ式飲料自動販売機では、湯タンク４０内からの湯を氷加工手段８１に供給するための湯供給手段（洗浄液供給手段）１３０と、湯タンク４０内からの湯を原液ノズルに供給するためのノズル用湯供給手段（ノズル洗浄液供給手段）１３１とを有している。これら湯供給手段１３０およびノズル用湯供給手段１３１は、湯タンク４０に接続した洗浄用湯配管４３、並びに洗浄用湯配管４３の先端にＴジョイント４４を介して分岐接続した氷加工手段洗浄用湯配管４６およびノズル洗浄用湯配管４７から成る。
【００５０】
洗浄用湯配管４３は、湯タンク４０内の湯を移送するためのもので、その途中に洗浄用湯弁４３ａを有する。この洗浄用湯配管４３は、湯供給手段１３０およびノズル用湯供給手段１３１において共通の流路となるものである。洗浄用湯弁４３ａは、洗浄用湯配管４３を開閉するためのもので、弁開閉制御部４５に接続してある。
【００５１】
弁開閉制御部４５は、制御指令を洗浄用湯弁４３ａに送出することにより、洗浄用湯弁４３ａを開閉動作させる。この弁開閉制御部４５は、通常時においては洗浄用湯弁４３ａを閉状態に保持する一方、予め設定した洗浄時間帯（洗浄開始時刻から洗浄終了時刻までの時間帯）においては洗浄用湯弁４３ａを開状態に保持する。弁開閉制御部４５における洗浄開始時刻および洗浄終了時刻は、作業者によって任意に設定可能であり、例えば購入者の利用が少ない夜中や明け方に設定される。
【００５２】
氷加工手段洗浄用湯配管４６は、Ｔジョイント４４を介して洗浄用湯配管４３から分岐流入した湯を氷加工手段８１に供給するためのもので、その先端に洗浄ノズル４６ａを有する。洗浄ノズル４６ａは、氷加工手段洗浄用湯配管４６を流れた湯を吐出するもので、氷加工手段８１の氷投入口８１ａの上方に配置され、氷加工手段８１の内部に臨むようにしてある。
【００５３】
ノズル洗浄用湯配管４７は、Ｔジョイント４４を介して洗浄用湯配管４３から分岐流入した湯を原液ノズルに供給するためのもので、その先端にシャワーノズル４７ａを有する。シャワーノズル４７ａは、ノズル洗浄用湯配管４７を流れた湯をシャワー状に吐出するもので、原液ノズルに臨むように配設してある
【００５４】
上述したように構成した本実施の形態１であるカップ式飲料自動販売機において、氷加工手段８１および原液ノズルを洗浄するための動作について以下に詳述する。
【００５５】
上述の洗浄開始時刻に至ると、洗浄用湯弁４３ａは、弁開閉制御部４５からの制御指令により開動作し、開状態に保持される。
【００５６】
洗浄用湯弁４３ａが開状態になると、湯タンク４０内の湯が洗浄用湯配管４３を流れる。洗浄用湯配管４３を流れてＴジョイント４４に至った湯は、氷加工手段洗浄用湯配管４６およびノズル洗浄用湯配管４７に分岐流入する。
【００５７】
氷加工手段洗浄用湯配管４６に分岐流入し、洗浄ノズル４６ａに至った湯は、洗浄ノズル４６ａを通じて氷加工手段８１の内部に向けて吐出供給される一方、ノズル洗浄用湯配管４７に分岐流入し、シャワーノズル４７ａに至った湯は、シャワーノズル４７ａを通じて原液ノズルに向けてシャワー状に吐出される。
【００５８】
この結果、洗浄ノズル４６ａを通じて供給された湯の洗浄作用によって氷加工手段８１の内部が洗浄される一方、シャワーノズル４７ａを通じてシャワー状に吐出された湯の洗浄作用によって原液ノズルが洗浄される。
【００５９】
この洗浄の際には、氷加工手段８１の回転羽根８１ｂを動作させることが好ましい。具体的には、回転羽根８１ｂを動作させると、氷加工手段８１の内部において湯が飛び散りながら隅々に送り込まれるようになり、洗浄効果を向上させることが可能になるので好ましい。
【００６０】
この間、氷加工手段８１内の洗浄に用いられた湯は、排水口８１ｃおよび氷加工排水配管１２１を通じて排水容器１２０に至り順次排水される一方、原液ノズルの洗浄に用いられた湯は、排水口１１および調理排水配管１２２を通じて排水容器１２０に至り順次排水される。
【００６１】
所定の時間が経過して上述の洗浄終了時刻に至ると、洗浄用湯弁４３ａが弁開閉制御部４５からの制御指令により閉動作し、この結果、氷加工手段８１および原液ノズルを洗浄するための動作が終了する。
【００６２】
以上説明したように、本実施の形態１であるカップ式飲料自動販売機によれば、湯タンク４０内からの湯を氷加工手段８１に供給するための湯供給手段１３０を有し、この湯供給手段１３０による湯の供給によって氷加工手段８１の内部を洗浄して、氷加工手段８１の内部を清潔に維持するようにしているので、コールド飲料を製造する上で好ましいものとなる。
【００６３】
また、本実施の形態１であるカップ式飲料自動販売機によれば、湯タンク４０内からの湯を原液ノズルに供給するためのノズル用湯供給手段１３１を有し、このノズル用湯供給手段１３１による湯の供給によって原液ノズルを洗浄して、原液ノズルを清潔に維持するようにしているので、飲料を製造する上で一層好ましいものとなる。
【００６４】
さらに、本実施の形態１であるカップ式飲料自動販売機では、湯供給手段１３０およびノズル用湯供給手段１３１として、共通となる流路（洗浄用湯配管４３）から分岐した湯を供給するものを適用しているので、湯タンク４０内からの湯を氷加工手段８１および原液ノズルに同時に供給して洗浄を行うことが可能になる。
【００６５】
さらにまた、本実施の形態１であるカップ式飲料自動販売機では、湯供給手段１３０およびノズル用湯供給手段１３１において共通となる流路（洗浄用湯配管４３）に洗浄用湯弁４３ａを設け、洗浄用湯弁４３ａの開閉動作を弁開閉制御部４５により制御するようにしている。従って、本実施の形態１であるカップ式飲料自動販売機によれば、湯供給手段１３０およびノズル用湯供給手段１３１に対して、洗浄用湯弁４３ａおよび弁開閉制御部４５を別個に設ける必要がないので、部品点数の増大に伴って製造コストが増大する事態を抑えることができる。
【００６６】
なお、例えば、洗浄用湯配管４３の途中に湯ポンプ（圧送手段）を設けて、氷加工手段洗浄用湯配管４６を通じて洗浄ノズル４６ａへ湯を圧送する一方、ノズル洗浄用湯配管４７を通じてシャワーノズル４７ａへ湯を圧送するようにすれば、氷加工手段８１の内部および原液ノズルに向けて湯が勢い良く噴射されるようになり、洗浄効果を向上させることが可能になるので好ましい。
【００６７】
なお、上述した実施の形態１では、氷加工手段８１に湯を供給するようにしているが、氷加工手段８１に水を供給するようにしても構わない。例えば、図２に示す本実施の形態１の変形例のように、水リザーバ２０内からの水を氷加工手段８１に供給するようにしても良い。
【００６８】
図２に示した変形例では、氷加工手段８１に水リザーバ２０内からの水を供給するための水供給手段（洗浄液供給手段）１３２と、原液ノズルに水リザーバ２０内からの水を供給するためのノズル用水供給手段（ノズル洗浄液供給手段）１３３とを有する。これら水供給手段１３２およびノズル用水供給手段１３３は、上述した送水配管２２において水ポンプ（圧送手段）３０と三方弁２４との間となる部位に分岐接続した洗浄用水配管２７、並びに洗浄用水配管２７の先端にＴジョイント４４Ａを介して分岐接続した氷加工手段洗浄用水配管２８およびノズル洗浄用水配管２９から成る。
【００６９】
洗浄用水配管２７は、水リザーバ２０内からの水を移送するためのもので、その途中に洗浄用水弁２７ａを有する。この洗浄用水配管２７は、水供給手段１３２およびノズル用水供給手段１３３において共通の流路となるものである。洗浄用水弁２７ａは、洗浄用水配管２７を開閉するためのもので、弁開閉制御部４５Ａに接続してある。弁開閉制御部４５Ａとしては、上述した弁開閉制御部４５と同様のものを適用することができる。
【００７０】
氷加工手段洗浄用水配管２８は、Ｔジョイント４４Ａを介して洗浄用水配管２７から分岐流入した水を氷加工手段８１に供給するためのもので、その先端に洗浄ノズル２８ａを有する。洗浄ノズル２８ａは、氷加工手段洗浄用水配管２８を流れた水を吐出するもので、氷加工手段８１の氷投入口８１ａの上方に配置されて、氷加工手段８１の内部に臨むようにしてある。
【００７１】
ノズル洗浄用水配管２９は、Ｔジョイント４４Ａを介して洗浄用水配管２７から分岐流入した水を原液ノズルに供給するためのもので、その先端にシャワーノズル２９ａを有する。シャワーノズル２９ａは、ノズル洗浄用水配管２９を流れた水をシャワー状に吐出するもので、原液ノズルに臨むように配設してある。
【００７２】
なお、その他の構成については、上述した実施の形態１のものと同様であるので、同一の符号を付して詳細な説明を省略する。
【００７３】
上述した本実施の形態１の変形例であるカップ式飲料自動販売機において、氷加工手段８１および原液ノズルを洗浄するための動作について以下に詳述する。
【００７４】
上述の洗浄開始時刻に至ると、三方弁２４が水配管２５および湯タンク用水配管２６に対して閉状態に保持された状態で、洗浄用水弁２７ａが弁開閉制御部４５Ａからの制御指令により開動作し、開状態に保持される。
【００７５】
洗浄用水弁２７ａが開状態になると、水リザーバ２０内の水が送水配管２２を通じて洗浄用水配管２７に流入する。洗浄用水配管２７を流れてＴジョイント４４Ａに至った水は、氷加工手段洗浄用水配管２８およびノズル洗浄用水配管２９に分岐流入する。氷加工手段洗浄用水配管２８に分岐流入した水は、洗浄ノズル２８ａへ水ポンプ３０により圧送される一方、ノズル洗浄用水配管２９に分岐流入した水は、シャワーノズル２９ａへ水ポンプ３０により圧送される。
【００７６】
水ポンプ３０により圧送されて洗浄ノズル２８ａに至った水は、洗浄ノズル２８ａから氷加工手段８１の内部に勢い良く噴射されながら供給される一方、水ポンプ３０により圧送されてシャワーノズル２９ａに至った水は、シャワーノズル２９ａから原液ノズルに向けてシャワー状に勢い良く噴射される。
【００７７】
この結果、洗浄ノズル２８ａから勢い良く噴射された水の洗浄作用によって氷加工手段８１の内部が洗浄される一方、シャワーノズル２９ａからシャワー状に勢い良く噴射された水の洗浄作用によって原液ノズルが洗浄される。この際、氷加工手段８１の回転羽根８１ｂを動作させることが好ましいのは、上述した実施の形態１と同様である。
【００７８】
この間、氷加工手段８１の内部を洗浄した水は、排水口８１ｃおよび氷加工排水配管１２１を通じて排水容器１２０に至り順次排水される一方、原液ノズルを洗浄した水は、排水口１１および調理排水配管１２２を通じて排水容器１２０に至り順次排水される。
【００７９】
所定の時間が経過して上述の洗浄終了時刻に至ると、洗浄用水弁２７ａが弁開閉制御部４５Ａからの制御指令により閉動作し、この結果、氷加工手段８１および原液ノズルを洗浄するための動作が終了する。
【００８０】
以上説明したように、本実施の形態１の変形例であるカップ式飲料自動販売機では、水リザーバ２０内からの水を氷加工手段８１に供給するための水供給手段１３２を有するとともに、水リザーバ２０内からの水を原液ノズルに供給するためのノズル用水供給手段１３３を有して、氷加工手段８１の内部および原液ノズルを洗浄するようにしている。しかも、本実施の形態１の変形例では、水供給手段１３２およびノズル用水供給手段１３３として、共通となる流路（洗浄用水配管２７）から分岐した水を供給するものを適用し、さらにこの共通となる流路に洗浄用水弁２７ａを設け、洗浄用水弁２７ａの開閉動作を弁開閉制御部４５Ａにより制御するようにしている。これらにより、本実施の形態１の変形例であるカップ式飲料自動販売機によれば、上述した実施の形態１と同様の効果を奏するようになる。
【００８１】
なお、上述した実施の形態１およびその変形例では、氷加工手段８１および原液ノズルを洗浄するための洗浄液として、湯あるいは水を用いているが、これらに限定されないのは勿論である。
【００８２】
（実施の形態２）
つぎに、本発明の実施の形態２であるカップ式飲料自動販売機について説明する。本実施の形態２では、図３、４に示すように、上述した実施の形態１のものに対して、遮断手段１４０をさらに備えている。
【００８３】
遮断手段１４０は、氷加工手段８１からカップＣへ至る氷の供給経路Ｒを開閉するもので、シュータ８２の先端部に回転可能に設けた遮断部材１４１と、遮断部材１４１を駆動する駆動部１４２とを備える。
【００８４】
遮断部材１４１は、シュータ８２の出口となる氷排出口８２ｂを閉じるのに十分な大きさの底壁１４１ａと、底壁１４１ａの左右端から起立延在する左右側壁１４１ｂとから成り、氷排出口８２ｂを開閉可能に構成してある。この遮断部材１４１は、氷排出口８２ｂを開いた場合（図４中、二点鎖線で例示）に、シュータ８２の供給経路Ｒを延長するように案内通路Ｒ′を構成する。案内通路Ｒ′は、調理位置にあるカップＣに臨むように位置する。この遮断部材１４１の底壁１４１ａには、排水のための排水口１４１ａ′が設けてある。排水口１４１ａ′は、排水配管１２３を通じて排水容器１２０に連通してある。駆動部１４２は、氷排出口８２ｂを開閉するための遮断部材１４１の回転駆動を行うもので、例えば駆動モータを用いて構成される。
【００８５】
なお、図４中の８１ｄは、氷を粉砕するための固定刃である。８１ｅは、固定刃８１ｄにより粉砕された氷を氷加工手段８１から排出するための氷排出口である。また、８２ａは、氷排出口８１ｅに連通するように、シュータ８２に設けた氷受入口である。なお、その他の構成については、実施の形態１のものと同様であるので、同一の符号を付して詳細な説明を省略する。
【００８６】
図５は、口当たりの良い飲料（例えば、いわゆるフローズン飲料）を製造する際における製氷機６０、氷加工手段８１および遮断手段１４０の動作を説明するためのタイミングチャートである。以下、図５を参照しながら、これらの動作について説明する。
【００８７】
まず、口当たりの良い飲料を製造する場合には、製氷機６０の氷を氷振り分け装置７０を介して氷加工手段８１に供給するために、製氷機６０が予め設定された時間だけ氷排出口６１を開く（Ｔ１〜Ｔ２）。
【００８８】
製氷機６０が氷排出口６１を閉じると（Ｔ２）、遮断手段１４０は、シュータ８２の氷排出口８２ｂを開いて、供給経路Ｒを開くとともに、案内通路Ｒ′を構成する。
【００８９】
同じく、製氷機６０が氷排出口６１を閉じると（Ｔ２）、氷加工手段８１は、回転羽根８１ｂの回転を開始して製氷機６０からの氷を粉砕し、この氷の粉砕に要するだけの時間が経過すると、回転羽根８１ｂの回転を停止する（Ｔ３）。
【００９０】
この間、氷加工手段８１により粉砕された氷は、シュータ８２を通じて案内通路Ｒ′に至り、案内通路Ｒ′によって案内されてカップＣに順次供給される。
【００９１】
遮断手段１４０は、回転羽根８１ｂの回転が停止した後、つまり氷加工手段８１による氷の粉砕が終了した後、Ｔ５（例えば１秒）だけ時間が経過すると、シュータ８２の氷排出口８２ｂを閉じて、供給経路Ｒを閉じる（Ｔ４）。
【００９２】
氷加工手段８１からの氷が供給されたカップＣ内では、該供給された氷と、別途供給された飲料の原料（例えばシロップ）との混合攪拌が行われて、口当たりの良いコールド飲料が製造される。
【００９３】
次に口当たりの良いコールド飲料を製造する場合には、再び製氷機６０が予め設定された時間だけ氷排出口６１を開き（Ｔ１〜Ｔ２）、製氷機６０が氷排出口６１を閉じると（Ｔ２）、遮断手段１４０が氷排出口８２ｂを開き、以降、上述した動作が繰り返される。
【００９４】
ここで、口当たりの良いコールド飲料を製造した際には、シュータ８２および氷加工手段８１の内部に粉砕された氷が残存する。このため、口当たりの良いコールド飲料を製造した後には、この残存した氷の溶けた水が、供給経路Ｒを通じて滴り落ちる虞れがある。
【００９５】
しかしながら、本実施の形態２では、上述したように、口当たりの良いコールド飲料を製造した後、次に口当たりの良いコールド飲料を製造するまでの間、遮断手段１４０によって供給経路Ｒが閉じられた状態に維持される。従って、口当たりの良いコールド飲料を製造した後に、氷加工手段８１により粉砕した氷を用いずに飲料を製造する際、例えば製氷機６０からの氷をそのまま用いてコールド飲料を製造する際には、カップＣあるいはその周辺に水が滴り落ちる虞れがない。
【００９６】
しかも、本実施の形態２では、シュータ８２を通じて遮断部材１４１の底壁１４１ａに至った水が、底壁１４１ａの排水口１４１ａ′から排水配管１２３を通じて排水容器１２０に順次送出される。従って、次に口当たりの良い飲料を製造する際には、シュータ８２の氷排出口８２ｂを開いても、底壁１４１ａからカップＣあるいはその周辺に水が滴り落ちる虞れがない。
【００９７】
上記カップ式飲料自動販売機では、製氷機６０からの氷を粉砕する氷加工手段８１と、供給経路Ｒを開閉する遮断手段１４０とを備え、遮断手段１４０によって供給経路Ｒを開くことにより、氷加工手段８１から粉砕した氷をカップＣに供給して飲料を製造するようにしているので、氷の供給元となる製氷機６０における氷の大きさによらず、口当たりの良いコールド飲料を製造することができる。
【００９８】
また、上記カップ式飲料自動販売機では、口当たりの良いコールド飲料の製造に際して氷加工手段８１からの氷をカップＣに供給した後に、遮断手段１４０によって供給経路Ｒを閉じ、次に口当たりの良いコールド飲料を製造するまでの間、供給経路Ｒを閉じた状態を維持するようにしている。このため、口当たりの良いコールド飲料を製造した後に、氷加工手段８１により粉砕した氷を用いずに飲料を製造する際には、シュータ８２および氷加工手段８１に残存した氷の溶けた水が、供給経路Ｒを通じてカップＣあるいはその周辺に滴り落ちて、飲料を薄める事態やカップＣを汚損する事態を招来する虞れがない。
【００９９】
しかも、上記カップ式飲料自動販売機では、遮断手段１４０として、排水機能を有するものを適用しているので、次に口当たりの良いコールド飲料を製造するのに際して供給経路Ｒを開いても、この残存した氷の溶けた水が、供給経路Ｒを通じてカップＣあるいはその周辺に滴り落ちる虞れがない。このため、上記カップ式飲料自動販売機によれば、次回、製造される口当たりの良いコールド飲料を薄めて品質を損なう事態や、カップＣを汚損する事態を招来する虞れがない。
【０１００】
さらに、上記カップ式飲料自動販売機では、遮断手段１４０として、供給経路Ｒを開いた場合に、氷加工手段８１からの氷をカップＣに案内するための案内通路Ｒ′を構成するものを適用している。このため、上記カップ式飲料自動販売機によれば、氷加工手段８１からの氷がカップＣに確実に供給されるようになるので、氷がこぼれてカップＣに実際に供給される氷の量が減少する事態や、こぼれた氷が飛び跳ねてカップＣを汚損する事態を招来する虞れがない。
【０１０１】
なお、上述した底壁１４１ａの排水口１４１ａ′を通じての排水作用は、湯タンク４０内からの湯を氷加工手段８１に供給して、氷加工手段８１を洗浄する際にも発揮される。すなわち、氷加工手段８１の洗浄の際に、シュータ８２を通じて遮断部材１４１の底壁１４１ａに至った湯は、排水口１４１ａ′から排水配管１２３を通じて排水容器１２０に順次送出される。ここで、氷加工手段８１に供給された湯の残りは、氷加工排水配管１２１を通じて排水容器１２０に送出される。なお、氷加工手段８１の洗浄の際には、必ずしも供給経路Ｒを閉じた状態に維持する必要はなく、開いた状態としても構わない。
【０１０２】
なお、本実施の形態２では、氷加工手段８１にシュータ８２を設けたカップ式飲料自動販売機に対して、遮断手段１４０を適用しているが、これに限定されない。例えば、図６に示す変形例のように、氷加工手段８１Ａにより粉砕した氷をそのままカップＣに供給可能に構成して、シュータ８２を省いたものに対しても、遮断手段１４０を適用することが可能である。
【０１０３】
本変形例では、図６に示すように、氷加工手段８１Ａの底部８１Ａａに設けた氷排出口８１ＡｃからカップＣへ至る氷の供給経路Ｒを、遮断手段１４０の遮断部材１４１によって開閉するように構成している。また、遮断部材１４１は、供給経路Ｒを開いた場合に、氷加工手段８１Ａからの氷をカップＣに案内するための案内通路Ｒ′を構成する。なお、図６中の８１Ａｂは、氷加工手段８１Ａの底部８１Ａａに設けた固定刃である。
【０１０４】
このように構成した本変形例にあっても、遮断手段１４０が上述した実施の形態２の場合と同様の機能を果たすようになるので、実施の形態２のものと同様の作用、効果を奏するようになる。
【０１０５】
なお、上述した実施の形態２およびその変形例では、氷加工手段８１（８１Ａ）からの氷をカップＣに案内するための案内通路Ｒ′を構成するようにしたものを例示しているが、必ずしも案内通路Ｒ′を構成する必要はない。また、上述した実施の形態２およびその変形例では、遮断部材１４１を回転させて、供給経路Ｒを開く位置と閉じる位置とに移動させるようにしているが、これに限定されるものではない。例えば、遮断部材１４１を水平方向に移動させて、供給経路Ｒを開く位置と閉じる位置とに移動させるようにしても良い。
【０１０６】
（実施の形態３）
つぎに、本発明の実施の形態３であるカップ式飲料自動販売機について説明する。本実施の形態３では、図７に示すように、上述した実施の形態１のものに対して、氷加工手段８１に替えて氷加工手段８１Ｂを適用するとともに、送風手段１５０をさらに備えている。
【０１０７】
氷加工手段８１Ｂは、図８、９に示すように、略すり鉢形状の容器８１Ｂ′の内部に、回転羽根（可動部）８１ｂ′を備える。容器８１Ｂ′の上部を成す上蓋８１Ｂ″には、氷投入口８１ａおよび給湯口８１ｆが設けてある。給湯口８１ｆには、図７に示すように、氷加工手段洗浄用湯配管４６の洗浄ノズル４６ａが接続してある。回転羽根８１ｂ′は、容器８１Ｂ′のすり鉢状の底部に設けた回転軸８１ｂａの軸心回りに回転可能に構成してある。
【０１０８】
この回転羽根８１ｂ′は、主羽根８１ｂｂ、規制部材８１ｂｃおよび副羽根８１ｂｄを備える。主羽根８１ｂｂは、回転軸８１ｂａに対して複数（例えば３つ）設けてあり、回転軸８１ｂａの軸心回りに、容器８１Ｂ′のすり鉢状の内周面に沿って回転可能である。規制部材８１ｂｃは、円錐筒状部８１ｂｃａおよび周壁部８１ｂｃｂにより構成してある。円錐筒状部８１ｂｃａは、図９に示すように、上方に向かって次第に内径が減少する円錐筒状のもので、主羽根８１ｂｂにおける外周側の部位の上方域を覆い、かつ氷投入口８１ａの下方域を開放するように、主羽根８１ｂｂに同軸に設けてある。周壁部８１ｂｃｂは、円錐筒状部８１ｂｃａの外周縁から上方に延在して円筒状を成すものである。この規制部材８１ｂｃには、円錐筒状部８１ｂｃａの外周部に、上下に貫通する貫通孔８１ｂｃ′が複数（例えば３つ）設けてある。副羽根８１ｂｄは、規制部材８１ｂｃにおける円錐筒状部８１ｂｃａの外周面および周壁部８１ｂｃｂの内周面を繋ぐように複数（例えば３つ）設けたもので、円錐筒状部８１ｂｃａの外周面から容器８１Ｂ′の上蓋８１Ｂ″の裏面に向けて延在する。なお、図９中のＭは、回転羽根８１ｂ′を回転駆動するために、容器８１Ｂ′の外部に設けた駆動モータである。また、８１ｄは、容器８１Ｂ′のすり鉢状の内周面に設けた固定刃である。
【０１０９】
また、上述した氷加工手段８１Ｂには、容器８１Ｂ′の上蓋８１Ｂ″の表面に導入部材８３が設けてある。導入部材８３は、氷投入口８１ａの上方域を取り囲むように上方に向けて延在する筒状のもので、その側部に氷振り分け装置７０が連通してある。この導入部材８３の上部には、上部開口８３ａが設けてある。
【０１１０】
送風手段１５０は、導入部材８３の上部開口８３ａから氷加工手段８１Ｂに送風を行うもので、例えば送風ファンを用いて構成される。
【０１１１】
なお、その他の構成については、実施の形態１のものと同様であるので、同一の符号を付して詳細な説明を省略する。
【０１１２】
上記カップ式飲料自動販売機では、導入部材８３を介して氷加工手段８１Ｂへの氷の供給を行うとともに、回転羽根８１ｂ′を駆動すると、主羽根８１ｂｂの回転により、供給された氷が固定刃８１ｄに当接して粉砕される。この間、規制部材８１ｂｃの円錐筒状部８１ｂｃａは、容器８１Ｂ′内の氷が上動して固定刃８１ｄから離反するのを抑えることにより、当該氷が粉砕されるのを促進する。
【０１１３】
ここで、回転羽根８１ｂ′として、主羽根８１ｂｂおよび規制部材８１ｂｃだけを備えるものを用いる場合には、粉砕された氷が、容器８１Ｂ′の内周面に沿って上蓋８１Ｂ″の裏面まで押し上げられて当該裏面に積み重なる虞れがある（図９中、実線の矢印で例示）。しかしながら、回転羽根８１ｂ′には、上蓋８１Ｂ″の裏面に向けて延在する副羽根８１ｂｄが設けてあるので、副羽根８１ｂｄの回転により、上蓋８１Ｂ″の裏面に氷が積み重なる事態が抑えられる。
【０１１４】
また、上記カップ式飲料自動販売機では、給湯口８１ｆを通じて、湯タンク４０内からの湯を氷加工手段８１Ｂの容器８１Ｂ′内に供給すると、該供給した湯の洗浄作用により、氷加工手段８１Ｂが洗浄される。ここで、容器８１Ｂ′内に供給された湯は、副羽根８１ｂｄの回転領域に至った後に、貫通孔８１ｂｃ′を通じて主羽根８１ｂｂの回転領域に至る。従って、上記カップ式飲料自動販売機では、氷加工手段８１Ｂへの湯の供給とともに、回転羽根８１ｂ′を回転させると、容器８１Ｂ′内の隅々に湯が行き渡るようになる。
【０１１５】
また、上記カップ式飲料自動販売機では、送風手段１５０を駆動すると、送風手段１５０からの空気が導入部材８３、氷加工手段８１Ｂおよびシュータ８２を通過するので、氷加工手段８１Ｂ内の湿気がシュータ８２を通じて排出される。これにより、例えば氷加工手段８１Ｂによる氷の粉砕あるいは氷加工手段８１Ｂの洗浄を行った場合に、送風手段１５０による氷加工手段８１Ｂへの送風を行えば、氷加工手段８１Ｂを速やかに乾燥させることができるようになる。ここで、送風手段１５０は、例えば、常時駆動するようにしても良いし、氷加工手段８１Ｂによる氷の粉砕あるいは氷加工手段８１Ｂの洗浄を行った後、氷加工手段８１Ｂを乾燥させるのに必要な時間だけ駆動するようにしても良い。
【０１１６】
上記カップ式飲料自動販売機によれば、実施の形態１のものと同様に、製氷機６０からの氷を粉砕する氷加工手段８１Ｂを備え、氷加工手段８１Ｂにより粉砕した氷をカップＣに供給して飲料を製造するようにしているので、氷の供給元となる製氷機６０における氷の大きさによらず、口当たりの良いコールド飲料を製造することができる。
【０１１７】
また、上記カップ式飲料自動販売機では、氷加工手段８１Ｂに送風するための送風手段１５０を備え、送風手段１５０による氷加工手段８１Ｂへの送風によって、氷加工手段８１Ｂを乾燥させるようにしている。このため、上記カップ式飲料自動販売機によれば、例えば氷加工手段８１Ｂによる氷の粉砕あるいは氷加工手段８１Ｂの洗浄を行った場合に、氷加工手段８１Ｂが水に晒される時間を短縮することができるので、氷加工手段８１Ｂを清潔に維持することが可能になる。なお、送風手段１５０としては、例えば加熱ヒータを備えたものを適用しても良い。この場合には、加熱ヒータにより加熱した空気を氷加工手段８１Ｂに送ることができるようになるので、氷加工手段８１Ｂを一層速やかに乾燥させることが可能になる。また、氷加工手段８１Ｂを乾燥させる際には、回転羽根８１ｂ′を回転させるようにしても良い。この場合には、回転羽根８１ｂ′に付着した氷や水を吹き飛ばすことができるようになるので、例えば回転羽根８１ｂ′を乾燥させる上で有利となる。ここで、回転羽根８１ｂ′を回転させる時間としては、回転羽根８１ｂ′に付着した氷や水を吹き飛ばすだけの時間で十分である。
【０１１８】
さらに、上記カップ式飲料自動販売機では、氷加工手段８１Ｂの回転羽根８１ｂ′として、容器８１Ｂ′の上蓋８１Ｂ″の裏面に氷が積み重なるのを抑えるために、当該裏面に向けて延在する副羽根８１ｂｄを設けたものを適用している。このため、口当たりの良いコールド飲料を製造する場合には、上蓋８１Ｂ″の裏面に氷が残存して氷加工手段８１Ｂの乾燥の妨げとなるのを抑えることができる。しかも、カップＣ一杯分の飲料を製造するだけの氷を氷加工手段８１Ｂに供給する場合には、カップＣへの氷の供給量が減少するのを抑えることができる。
【０１１９】
さらにまた、上記カップ式飲料自動販売機では、副羽根８１ｂｄおよび主羽根８１ｂｂの回転領域内に湯タンク４０内からの湯を供給するとともに、回転羽根８１ｂ′を回転させて、氷加工手段８１Ｂを洗浄するようにしている。このため、上記カップ式飲料自動販売機によれば、湯タンク４０内からの湯が容器８１Ｂ′内の隅々に行き渡るようになるので、洗浄効果を向上させる上で好ましいものとなる。しかも、この洗浄の際には、回転羽根８１ｂ′が回転するのに要する容器８１Ｂ′との隙間（設計上、確保せざるを得ない隙間）に残存した氷を、副羽根８１ｂｄおよび主羽根８１ｂｂの回転によって少量の湯で効率良く溶かすことが可能になる。
【０１２０】
なお、本実施の形態３において適用する氷加工手段８１Ｂは、上述した実施の形態１、２およびそれらの変形例に適用しても良い。
【０１２１】
また、本実施の形態３では、氷加工手段８１Ｂに洗浄のための湯を供給するようにしているが、送風手段１５０による氷加工手段８１Ｂへの送風だけでも、氷加工手段８１Ｂを清潔に維持することが可能であるので、必ずしも湯を供給する必要はない。
【０１２２】
【発明の効果】
以上説明したように、本発明の請求項１に係るカップ式飲料自動販売機によれば、供給された氷を粉砕するための砕氷手段を備え、前記砕氷手段により粉砕した氷をカップに供給して飲料を製造するようにしたので、供給元における氷の大きさによらず、口当たりの良いコールド飲料を製造することが可能になる。しかも、砕氷手段に洗浄液を供給するための洗浄液供給手段をさらに備え、前記洗浄液供給手段による洗浄液の供給によって前記砕氷手段を洗浄するようにしたので、前記砕氷手段が清潔に維持されるようになり、コールド飲料を製造する上で好ましいものとなる。
【０１２３】
また、本発明の請求項２に係るカップ式飲料自動販売機によれば、砕氷手段は、氷を粉砕するための動作を行う可動部を備え、洗浄の際に前記可動部を動作させるので、洗浄液が飛び散りながら前記砕氷手段の隅々に行き渡るようになり、洗浄効果を向上させることが可能になる。
【０１２４】
また、本発明の請求項３に係るカップ式飲料自動販売機によれば、洗浄液供給手段は、洗浄液を圧送するための圧送手段を有するので、前記圧送手段の圧送作用によって洗浄液を勢い良く噴射させることができるようになり、洗浄効果を向上させることが可能になる。
【０１２５】
また、本発明の請求項４に係るカップ式飲料自動販売機によれば、飲料を製造するための原液を吐出する原液ノズルと、前記原液ノズルに洗浄液を供給するためのノズル洗浄液供給手段とを備え、前記ノズル洗浄液供給手段による洗浄液の供給によって前記原液ノズルを洗浄するようにしたので、前記原液ノズルが清潔に維持されるようになり、飲料を製造する上で一層好ましいものとなる。
【０１２６】
また、本発明の請求項５に係るカップ式飲料自動販売機によれば、洗浄液供給手段およびノズル洗浄液供給手段は、共通となる流路から分岐した洗浄液を供給するので、砕氷手段および原液ノズルを同時に洗浄することが可能になる。
【０１２７】
また、本発明の請求項６に係るカップ式飲料自動販売機によれば、供給された氷を粉砕するための砕氷手段と、前記砕氷手段により粉砕した氷をカップに供給するための供給経路を開閉する遮断手段とを備え、前記遮断手段によって前記供給経路を開くことにより、前記砕氷手段から粉砕した氷をカップに供給して飲料を製造するようにしているので、供給元における氷の大きさによらず、口当たりの良いコールド飲料を製造することが可能になる。しかも、カップへの氷の供給が終了した後に、遮断手段によって供給経路を閉じるようにしているので、砕氷手段により粉砕した氷を要しない飲料を製造する際には、前記砕氷手段に残存した氷の溶けた水が、前記供給経路を通じて滴り落ちて、当該飲料を薄める事態やカップを汚損する事態を招来する虞れがない。
【０１２８】
また、本発明の請求項７に係るカップ式飲料自動販売機によれば、遮断手段は、供給経路を開放した場合に、砕氷手段からの氷をカップに案内するための案内通路を構成するので、前記砕氷手段からの氷がこぼれてカップに実際に供給される氷の量が減少する事態や、こぼれた氷が飛び跳ねてカップを汚損する虞れがない。
【０１２９】
また、本発明の請求項８に係るカップ式飲料自動販売機によれば、供給された氷を粉砕するための砕氷手段を備え、前記砕氷手段により粉砕した氷をカップに供給して飲料を製造するようにしたので、供給元における氷の大きさによらず、口当たりの良いコールド飲料を製造することが可能になる。しかも、砕氷手段に送風するための送風手段をさらに備え、前記送風手段による送風によって前記砕氷手段を乾燥させるようにしたので、前記砕氷手段が水に晒される時間を短縮できるようになり、この結果、前記砕氷手段を清潔に維持することが可能になる。
【図面の簡単な説明】
【図１】本発明の実施の形態１であるカップ式飲料自動販売機の概略構成図である。
【図２】本発明の実施の形態１の変形例であるカップ式飲料自動販売機の概略構成図である。
【図３】本発明の実施の形態２であるカップ式飲料自動販売機の概略構成図である。
【図４】図３に示した遮断手段を説明するための説明図である。
【図５】図３に示した製氷機、氷加工手段および遮断手段の動作を説明するためのタイミングチャートである。
【図６】本発明の実施の形態２の変形例であるカップ式飲料自動販売機を説明するための説明図である。
【図７】本発明の実施の形態３であるカップ式飲料自動販売機を説明するための説明図である。
【図８】図７に示した氷加工手段および送風手段を説明するための説明図である。
【図９】図７に示した氷加工手段の横断面図である。
【図１０】従来のカップ式飲料自動販売機の概略構成図である。
【符号の説明】
１０        カップ搬送装置
１１        排水口
２０        水リザーバ
２１        給水弁
２２        送水配管
２３        製氷用水配管
２４        三方弁
２５        水配管
２５ａ      水ノズル
２６        湯タンク用水配管
２７        洗浄用水配管
２７ａ      洗浄用水弁
２８        氷加工手段洗浄用水配管
２８ａ      洗浄ノズル
２９        ノズル洗浄用水配管
２９ａ      シャワーノズル
３０        水ポンプ
４０        湯タンク
４１        湯配管
４１ａ      湯弁
４１ｂ      湯ノズル
４２        コーヒー調理用湯配管
４２ａ      湯弁
４３        洗浄用湯配管
４３ａ      洗浄用湯弁
４４，４４Ａ      Ｔジョイント
４５，４５Ａ      弁開閉制御部
４６        氷加工手段洗浄用湯配管
４６ａ      洗浄ノズル
４７        ノズル洗浄用湯配管
４７ａ      シャワーノズル
５０        コーヒー飲料調理装置
５１        コーヒー配管
５１ａ      コーヒーノズル
６０        製氷機
６１        氷排出口
７０        氷振り分け装置
７１        氷振り分け機構
７２        氷配管
８０，８０Ａ，８０Ｂ        氷加工供給装置
８１，８１Ａ，８１Ｂ        氷加工手段
８１Ａａ    底部
８１Ａｂ    固定刃
８１Ａｃ    氷排出口
８１Ｂ′    容器
８１Ｂ″    上蓋
８１ａ      氷投入口
８１ｂ，８１ｂ′      回転羽根
８１ｂａ    回転軸
８１ｂｂ    主羽根
８１ｂｃ    規制部材
８１ｂｃａ  円錐筒状部
８１ｂｃｂ  周壁部
８１ｂｃ′  貫通孔
８１ｂｄ    副羽根
８１ｃ      排水口
８１ｄ      固定刃
８１ｅ      氷排出口
８１ｆ      給湯口
８２        シュータ
８２ａ      氷受入口
８２ｂ      氷排出口
８３        導入部材
８３ａ      上部開口
９０        シロップタンク
９１        シロップ配管
９１ａ      シロップ弁
９１ｂ      シロップノズル
１００      キャニスタ
１１０      攪拌装置
１１１      攪拌羽根
１２０      排水容器
１２１      氷加工排水配管
１２２      調理排水配管
１２３      排水配管
１３０      湯供給手段
１３１      ノズル用湯供給手段
１３２      水供給手段
１３３      ノズル用水供給手段
１４０      遮断手段
１４１      遮断部材
１４１ａ    底壁
１４１ａ′  排水口
１４１ｂ    左右側壁
１４２      駆動部
１５０      送風手段
Ｃ          カップ
Ｍ          駆動モータ
Ｒ          供給経路
Ｒ′        案内通路
【図１】
2004265370.tif 000003
【図２】
2004265370.tif 000004
【図３】
2004265370.tif 000005
【図４】
2004265370.tif 000006
【図５】
2004265370.tif 000007
【図６】
2004265370.tif 000008
【図７】
2004265370.tif 000009
【図８】
2004265370.tif 000010
【図９】
2004265370.tif 000011
【図１０】
2004265370.tif 000012